(57)【要約】【課題】通信トラヒックおよび移動局装置の消費電力の増加を抑制する。【解決手段】周囲の物理量を測定する測定センサを有する移動局装置であって、前記移動局装置が利用可能な基地局に関連する位置において前記測定センサによって測定された結果の格納履歴に関する条件情報を格納する条件情報格納部と、前記条件情報が表す条件が成立するときに、前記測定センサによって測定された結果を格納する制御を行なう制御部と、を有する移動局装置を提供する。【選択図】図２
2017118257.tif 000002
【特許請求の範囲】
【請求項１】
周囲の物理量を測定する測定センサを有する移動局装置であって、
前記移動局装置が利用可能な基地局に関連する位置において前記測定センサによって測定された結果の格納履歴に関する条件情報を格納する条件情報格納部と、
前記条件情報が表わす条件が成立するときに、前記測定センサによって測定された結果を格納する制御を行なう制御部と
を有する移動局装置。
【請求項２】
前記制御部は、前記条件情報が表わす条件が不成立になると、前記測定センサによって測定された結果の格納を停止する制御を行なう請求項１に記載の移動局装置。
【請求項３】
前記条件情報は、前記測定センサによって測定する結果の格納の回数の上限を含む請求項１または２に記載の移動局装置。
【請求項４】
前記測定センサは、前記移動局装置の在圏する基地局との通信の通信品質または前記基地局の無線エリアにおける環境情報を測定する請求項１から３のいずれか１項に記載の移動局装置。
【請求項５】
前記制御部は、前記移動局装置が利用可能な基地局が新たに検出された場合に前記条件情報格納部に格納された条件情報が表す条件が成立するか否かを判断する請求項１から４のいずれか１項に記載の移動局装置。
【請求項６】
前記基地局の識別情報と前記基地局を利用可能かどうかを表すアクセス権情報とを関連づけたフィンガープリント情報格納部を有し、
前記制御部は、前記基地局の識別情報が新たに検出された場合に、前記アクセス権情報に基づいて、前記基地局を前記移動局装置が利用可能であると判断した後に前記条件情報が表す条件が成立するか否かを判断する請求項５に記載の移動局装置。
【請求項７】
前記条件情報を、情報収集制御装置より受信する受信部を有する請求項１から６のいずれか１項に記載の移動局装置。
【請求項８】
前記受信部が、格納された前記格納履歴を削除する指示を受信すると、前記制御部は、前記格納履歴を削除する請求項７に記載の移動局装置。
【発明の詳細な説明】
【技術分野】
【０００１】
以下の開示は、無線通信システムにおける移動局装置などに関する。
【背景技術】
【０００２】
無線通信システムの移動局装置（端末装置）は、近年、各種の情報を収集する機能を有している。例えば、端末装置が収集する情報は、無線品質（スループットや受信強度）を測定した結果の情報である測定結果情報と測定の位置に関連する情報とを関連づけた情報である（例えば、特許文献１および２参照。）。また、端末装置は、気温や湿度などの環境情報と測定の位置に関する情報とを関連づけた情報を収集することも可能となっている。
【０００３】
このように端末装置が収集した情報を、例えば無線通信システムのシステム管理者が活用し、無線通信システム運用の改善やその他サービスの改善に使用することができる。また、例えば気象情報の提供なども行なうことができる。
【先行技術文献】
【特許文献】
【０００４】
【特許文献１】特開２０１２−２２７６６７号公報
【特許文献２】特開２０１３−５３５７号公報
【発明の概要】
【発明が解決しようとする課題】
【０００５】
端末装置が情報を収集する場合、常時収集する場合と時間を定めて収集する場合とがある。常時収集する場合には、必要以上の情報を収集してしまう可能性が高い。一方、時間を定めて収集する場合には、無線利用者の行動時間などにより無線通信システムの管理者などにとって有用な情報を収集できない可能性がある。
【０００６】
このような可能性に備え、無線通信システムの管理者側から端末装置に情報収集の指示を常時行ない、収集された情報を送信させる方式も考えられる。しかし、当該方式においては、無線通信システムの管理者側と端末装置とが頻繁に通信を行なう必要があり、通信トラヒックが増加してしまう。また、端末装置の消費電力も不必要に増加してしまう。
【０００７】
そこで、通信トラヒックおよび端末装置の消費電力の増加を抑制することを目的の一つとして、以下に開示を行なう。
【課題を解決するための手段】
【０００８】
一側面として、周囲の物理量を測定する測定センサを有する移動局装置であって、前記移動局装置が利用可能な基地局に関連する位置において前記測定センサによって測定された結果の格納履歴に関する条件情報を格納する条件情報格納部と、前記条件情報が表わす条件が成立するときに、前記測定センサによって測定された結果を格納する制御を行なう制御部と、を有する移動局装置を提供する。
【発明の効果】
【０００９】
一側面によれば、通信トラヒックおよび移動局装置の消費電力の増加を抑制することができる。
【図面の簡単な説明】
【００１０】
【図１】一実施形態に係る無線通信システムの動作を説明するための図である。
【図２】一実施形態に係る無線通信システムのシステム構成を示す機能ブロック図である。
【図３】一実施形態に係る情報収集制御装置のハードウェア構成図である。
【図４】一実施形態に係る端末装置のハードウェア構成図である。
【図５】一実施形態に係る情報収集制御装置が端末装置に設定する条件情報の一例図である。
【図６】一実施形態に係る情報収集制御装置が端末装置から受信した測定情報の一例図である。
【図７】（Ａ）一実施形態に係る情報収集制御装置の処理のフローチャートである。（Ｂ）一実施形態に係る情報収集制御装置の処理のフローチャートである。
【図８】一実施形態に係る端末装置が格納する条件情報の一例図である。
【図９】一実施形態に係る端末装置が格納するフィンガープリント情報の一例図である。
【図１０】一実施形態に係る端末装置が格納した測定情報の一例図である。
【図１１】（Ａ）一実施形態に係る端末装置の処理のフローチャートである。（Ｂ）一実施形態に係る端末装置の処理のフローチャートである。
【図１２】一実施形態に係る無線通信システムにおける通信のシーケンス図である。
【図１３】一実施形態に係る無線通信システムにおける通信のシーケンス図である。
【図１４】一実施形態に係る端末装置の処理のフローチャートである。
【図１５】（Ａ）一実施形態に係る端末装置が格納した測定情報の格納履歴の一例図である。（Ｂ）一実施形態に係る端末装置が格納した測定情報の格納履歴の一例図である。（Ｃ）一実施形態に係る端末装置が格納した測定情報の格納履歴の一例図である。（Ｄ）一実施形態に係る端末装置が格納した測定情報の格納履歴の一例図である。
【図１６】一実施形態に係る端末装置の測定情報の格納について説明する図である。
【図１７】一実施形態に係る端末装置の測定情報の格納について説明する図である。
【図１８】一実施形態に係る無線通信システムのセルの一例図である。
【図１９】一実施形態に係る無線通信システムのセルの一例図である。
【図２０】一実施形態に係る無線通信システムにおける通信のシーケンス図である。
【図２１】一実施形態に係る端末装置が格納した測定情報の履歴の一例図である。
【図２２】一実施形態に係る端末装置が格納した測定情報の履歴の一例図である。
【発明を実施するための形態】
【００１１】
以下、図面を参照し、開示について説明する。
【００１２】
図１は、一実施形態に係る無線通信システムの動作を説明するための図である。
【００１３】
無線通信システム１００は、情報収集制御装置１０１と、基地局１０２、１０３と、コアネットワーク１０４と、端末装置１０５とを備える。
【００１４】
情報収集制御装置１０１は、端末装置１０５へ情報収集条件を、コアネットワーク１０４および基地局１０２、１０３を介して送信する。情報収集条件とは、所定の条件の成立または不成立に応じて、端末装置１０５が物理量を測定し測定結果を格納しまたは格納を停止する条件である。所定の条件とは、位置関連情報に関する条件、時間に関する条件もしくは測定情報の格納に関する条件またはこれらの組み合わせを含む条件である。なお、情報収集条件を表す情報を条件情報と称する場合がある。また、測定情報とは、端末装置１０５が測定センサによる測定結果と、測定を行なった位置に関連する位置関連情報とを関連づけた情報である。物理量の例としては、端末装置１０５の有する物理量および端末装置１０５の周囲の物理量を挙げることができる。
【００１５】
例えば、測定センサとしての側面を有する受信部が、端末装置１０５の有する物理量として、電界強度を測定したり、受信品質を測定したりする。また、測定センサは、端末装置１０５の加速度や端末装置１０５の周囲の温度、湿度、加速度および照度などの物理量それぞれを測定する加速度センサ、温度センサ、湿度センサ、照度センサなどであってもよい。
【００１６】
位置関連情報とは、端末装置１０５の位置に関連する情報である。例えば、端末装置１０５の位置そのものを表わす情報である。位置そのものを表わす情報としては、経度および緯度がある。例えば、位置そのものを表わす情報は、端末装置１０５の備える例えばＧＰＳ受信器により測定されるとしてよい。なお、ＧＰＳは、Ｇｌｏｂａｌ  Ｐｏｓｉｔｉｏｎｉｎｇ  Ｓｙｓｔｅｍの略である。別の例としては、位置関連情報は、端末装置１０５が位置するエリアを識別する情報である。例えば、エリアを識別する情報は、端末装置１０５が位置する地点を含む土地の地番などの、ある程度の広がりを有する領域を識別する情報である。このようなある程度の広がりを有する領域を識別する情報を含む情報には、フィンガープリント情報がある。
【００１７】
フィンガープリント情報とは、上述のように端末装置１０５の位置に関連する情報の一種である。より具体的には、フィンガープリント情報は、端末装置１０５が位置する地点を含む無線エリア（例えば、セル）を管轄（換言すると、形成）する基地局の識別情報を含む。また、フィンガープリント情報は、セル内のセクターなどセルを分割したエリアの情報を含んでもよい。フィンガープリント情報は、基地局の識別情報に加えて、端末装置１０５が基地局を利用可能であるかどうかを示す情報を含むことができる。
【００１８】
端末装置１０５が基地局を利用可能であるとは、端末装置１０５が基地局を利用することができるアクセス権があることをいう。例えば、端末装置１０５が登録されているキャリア事業者によって基地局が運営されている場合をいう。また、アクセス権には、着信が可能か、緊急番号以外に発信が可能かなどの通信の種別が含まれ得る。なお、基地局１０２が管轄する無線エリアの中に端末装置１０５が位置し基地局１０２と通信が可能であるとき、端末装置１０５は、基地局１０２に在圏するという。
【００１９】
近年、通常の基地局が管轄する無線エリアであるマクロセルの中に、小型の基地局により管轄されるマイクロセルやピコセル、ナノセル、フェムトセルという小さなセルを形成することが行われている。マイクロセルやピコセル、ナノセル、フェムトセルのなかでも、特定の利用者の端末装置が使用できるセル（ＣＳＧセル（Ｃｌｏｓｅｄ  Ｓｕｂｓｃｒｉｂｅｒ  Ｇｒｏｕｐ  Ｃｅｌｌ））を形成することが行われている。端末装置１０５がＣＳＧセル内に位置すると、端末装置１０５は、ＣＳＧセルを管轄する基地局の識別情報を取得する。ＣＳＧセルを管轄する基地局の識別情報は、ＰＣＩ（Ｐｈｙｓｉｃａｌ  Ｃｅｌｌ  Ｉｄ）やＣＧＩ（Ｃｅｌｌ  Ｇｌｏｂａｌ  Ｉｄ）などと称される。したがって、フィンガープリント情報には、ＰＣＩやＣＧＩなどの識別情報に関する条件が含まれ得る。識別情報に関する条件の一例としては、「取得された基地局の識別情報が所定の情報である」という条件がある。
【００２０】
また、ＧＰＳによる位置に関連した情報は、在圏する基地局の識別情報に加えて取得されてもよい。
【００２１】
時間に関する条件は、例えば、現在の時刻が日の出から日の入りまでの昼間に属することや、日の入りから日の出までの夜間に属することなど、時刻に関する条件である。時刻は、日によって変動する日の出や日の入りではなく、標準時、日の情報、月の情報および年の情報のいずれか１以上を用いて指定されてもよい。例えば、時間に関する条件は、毎月１７日の午前３時から午後３時までの時間帯に属する、という条件であってもよい。
【００２２】
測定情報の格納に関する条件は、他の条件の成立または不成立により情報を収集し端末装置１０５が格納したことがあるか否かに関する格納履歴に関する条件である。例えば、「特定の位置に関連する情報が取得され、あるフィンガープリントに関する条件が成立し、測定情報を格納したことがある」を測定情報の格納の履歴に関する条件として挙げることができる。また、「特定の位置に関連する情報が取得され、フィンガープリント情報に関する条件が成立し、測定情報を格納した回数が所定の関係を満たす」を測定情報の格納履歴に関する条件として挙げることができる。
【００２３】
コアネットワーク１０４は、基地局１０２、１０３および端末装置１０５により形成されるネットワークと情報収集制御装置１０１が属するネットワークとを接続する回線網である。端末装置１０５は、在圏する基地局１０２、１０３を介してコアネットワーク１０４にアクセスすることが可能である。また、情報収集制御装置１０１は、コアネットワーク１０４を介して端末装置１０５と通信をすることが可能である。
【００２４】
端末装置１０５は、在圏する基地局１０２、１０３と直接通信を行なう機能を有するとともに、移動が可能な無線装置である。移動が可能であるという意味で、基地局１０２、１０３と対比させて、端末装置１０５を移動局装置と称する場合がある。例えば、移動局装置は、人が携帯することが可能な端末装置や車両に設置される無線装置などである。
【００２５】
端末装置１０５の動作の概略は次の通りである。端末装置１０５は、条件情報が入力されると条件情報をメモリなどの情報格納装置に格納する。例えば、条件情報は、端末装置１０５の利用者がキーパッドなどを用いて直接入力することができる。あるいは、情報収集制御装置１０１が条件情報を端末装置１０５に送信し、端末装置１０５が受信した条件情報を情報格納装置に格納することもできる。条件情報が格納されると、端末装置は、条件情報が成立または不成立となることを検出した場合に測定情報の取得（測定）および格納を実施または停止する。
【００２６】
例えば、端末装置１０５が基地局１０２の形成するセル内に位置することにより、ある条件情報が成立したことを検出すると、その時に測定されている無線品質を格納する収集を開始する。測定された無線品質は、測定情報として端末装置１０５の情報格納装置に格納される。また、無線品質の代わりに気温や湿度などの端末装置１０５の周囲の状態を表わす物理量に関する測定結果が測定情報となって収集されてもよい。この場合、端末装置１０５は、気温センサや湿度センサなどのセンサを備えていたり、気温センサや湿度センサなどのセンサが装着されたりして、気温や湿度などを測定する。
【００２７】
基地局１０２の識別情報が条件情報に含まれ、条件情報が成立した場合に無線品質を測定し収集する。このとき、端末装置１０５が基地局１０２の形成するセル内に位置することにより、条件情報が表す条件が成立し、端末装置１０５が無線品質の収集を開始するようにできる。その後、端末装置１０５が例えば基地局１０３の形成するセル内に移動すると、異なる基地局の識別情報が取得されるので、今まで成立していた情報収集条件が表す条件が不成立となり、端末装置１０５が収集を終了するようにできる。なお、条件情報として、端末装置１０５が基地局１０３の形成するセル内に位置することにより成立する条件情報が存在する場合には、無線品質の測定は継続されることになる。このように条件情報が成立し、複数回継続して測定がされることにより、複数の測定情報が格納されることにより収集がされることから、測定情報を収集情報と称する場合がある。したがって、測定情報を格納する部を測定情報格納部と称したり、収集情報格納部と称したりする場合がある。また、条件情報が表す条件を情報収集条件と称したりする場合がある。
【００２８】
端末装置１０５に格納されている測定情報は、所定のタイミングにおいて、端末装置１０５から基地局１０２およびコアネットワーク１０４を介して情報収集制御装置１０１に送信される。所定のタイミングとしては、例えば、端末装置が待ち受け状態から、コアネットワーク１０４に接続された状態に変化したときなどがある。また、情報収集制御装置１０１とインターネットなどを介して接続されるパーソナルコンピュータなどに端末装置１０５が接続されたときに、端末装置１０５に格納されている測定情報が読み出されるようになっていてもよい。そして、読み出された測定情報は、情報収集制御装置１０１に送信されて収集情報として格納されてもよい。
【００２９】
情報収集制御装置１０１に格納された収集情報は、無線通信システム管理者などにより必要な処理がされ、無線通信システムの運用の改善に使用されたり、第三者に提供されたりする。例えば、収集情報は、無線品質が良好な位置を含むセルの位置が、無線品質が良好でない位置を含むセルと異なる態様で地図上に表示され、管理者が基地局の整備計画を立案するのに参照される。また、収集情報は、地図上に特定の時間の気温データが表示され、気象情報の解析や気象予報などのために参照される。
【００３０】
図２は、無線通信システムの機能ブロック図の一例を示す。図２において、無線通信システム１００は、情報収集制御装置１０１と端末装置１０５とを有している。また、情報収集制御装置１０１および端末装置１０５は、図１に記載されているコアネットワーク１０４および基地局１０２、１０３を介して通信が可能となっている。
【００３１】
情報収集制御装置１０１は、設定制御部２０１と、設定送信部２０２と、制御装置通信部２０３と、収集情報格納部２０４と、収集情報受信部２０５とを備える。
【００３２】
設定制御部２０１は、端末装置１０５に格納させる条件情報を設定する制御を行なう。例えば、設定制御部２０１は、情報収集制御装置１０１の操作者より、条件情報と、条件情報が成立または不成立となったときに実施する測定の対象種別とが格納される端末装置の指定を受け付ける。また、設定制御部２０１は、端末装置１０５の測定情報を、端末装置１０５が情報収集制御装置１０１に送信する条件の指定を受け付けてもよい。
【００３３】
設定送信部２０２は、設定制御部２０１が受け付けた設定に基づいて、端末装置に条件情報を含む情報を送信する。また、端末装置１０５の測定情報を端末装置１０５が情報収集制御装置１０１に送信する条件の指定が受け付けられた場合には、端末装置１０５の測定情報を端末装置１０５が情報収集制御装置１０１に送信する条件情報も送信する。
【００３４】
制御装置通信部２０３は、情報収集制御装置１０１がコアネットワーク１０４および基地局１０２，１０３を介して端末装置１０５と通信するためのインターフェースである。制御装置通信部２０３に、設定送信部２０２から条件情報を含む情報が出力されると、制御装置通信部２０３は、指定された端末装置１０５に向けて送信を行なう。また、端末装置１０５から、端末装置１０５の収集情報が受信されると、制御装置通信部２０３は、受信した収集情報を収集情報受信部２０５に出力する。
【００３５】
収集情報受信部２０５は、制御装置通信部２０３から出力された情報が測定情報であれば、収集情報格納部２０４に出力する。
【００３６】
収集情報格納部２０４は、収集情報受信部２０５から出力された測定情報を記憶装置に、所定の形式により格納する。格納された収集情報は、適宜読み出され、情報収集制御装置１０１の操作者や無線通信システム１００の管理者などの使用する計算機などにより適宜処理がされる。
【００３７】
図３は、情報収集制御装置１０１のハードウェア構成図である。ハードウェアとしての情報収集制御装置１０１は、ＣＰＵ（Ｃｅｎｔｒａｌ  Ｐｒｏｃｅｓｓｉｎｇ  Ｕｎｉｔ）３０１と、メモリ３０２と、二次記憶装置３０３と、入出力インターフェース３０４とを有している。
【００３８】
ＣＰＵ３０１は、二次記憶装置３０３に格納され、メモリ３０２に展開されたプログラムを実行する。また、ＣＰＵ３０１は、プログラムの実行に伴い、入出力インターフェース３０４を介してデータの入出力を行なう。
【００３９】
メモリ３０２は、プログラムを記憶し、また、プログラムの実行に伴い必要な記憶領域を提供する。メモリ３０２は、具体的には、ＲＡＭ（Ｒａｎｄｏｍ  Ａｃｃｅｓｓ  Ｍｅｍｏｒｙ）などにより構成される。
【００４０】
二次記憶装置３０３は、ＣＰＵ３０１により実行されるプログラムを格納したり、ＣＰＵ３０１により実行されるプログラムに仮想メモリを提供したりするための記憶装置である。二次記憶装置３０３は、通常は、不揮発性の記憶装置であり、例えば、ハードディスク装置またはフラッシュメモリなどの電源が遮断されても情報の記憶が持続する記憶装置により構成される。
【００４１】
入出力インターフェース３０４は、情報収集制御装置３００に接続されている機器とデータを入出力するためのインターフェースである。入出力インターフェース３０４は、コアネットワーク１０４および基地局１０２を介して端末装置１０５と通信を行なう。また、入出力インターフェース３０４は、情報収集制御装置３００の操作者などからディスプレイ、キーボードおよびマウスなどを経由して、指示を受け取ったり、表示を行なったりもする。
【００４２】
ＣＰＵ３０１が所定のプログラムを実行することにより、ハードウェアとしての情報収集制御装置１０１が、図２などに示される情報収集制御装置１０１の機能を実現する。したがって、入出力インターフェース３０４は、設定制御部２０１および制御装置通信部２０３を主に構成し、二次記憶装置３０３は、収集情報格納部２０４を主に構成する。ＣＰＵ３０１により実行されるプログラムは、設定送信部２０２および収集情報受信部２０５を主に構成する。また、プログラムをＣＰＵ３０１により実行する代わりに、ＦＰＧＡ（Ｆｉｅｌｄ  Ｐｒｏｇｒａｍｍａｂｌｅ  Ｇａｔｅ  Ａｒｒａｙ）などを用いて、ハードウェアにより情報収集制御装置１０１を構成することも可能である。
【００４３】
図２の説明に戻る。端末装置１０５は、端末通信部２１１と、制御部２１２と、格納部２１３と、測定センサ２１４とを備える。
【００４４】
端末通信部２１１は、端末装置１０５が、基地局１０２、１０３と通信を行なうインターフェースである。例えば、端末通信部２１１は、アンテナ、無線アンプ、変調部、復調部、ベースバンド信号処理部などから構成され、基地局１０２、１０３と無線通信を行なうことができる。また、端末通信部２１１は、基地局１０２、１０３およびコアネットワーク１０４を介して情報収集制御装置１０１と通信を行なうインターフェースでもある。また、端末通信部２１１は、端末装置１０５がパーソナルコンピュータなどに有線手段や無線手段により接続される場合に、パーソナルコンピュータとデータの送受信を行なうインターフェースでもあってもよい。
【００４５】
また、端末通信部２１１は、基地局１０２、１０３からの無線信号を受信するので、基地局１０２、１０３からの無線信号の受信品質を測定することができる。したがって、端末通信部２１１は、測定センサの一例である。
【００４６】
制御部２１２は、端末装置１０５の各種の制御を行ない、例えば、基地局１０２、１０３、コアネットワーク１０４および情報収集制御装置１０１との通信の制御を行なう。また、制御部２１２は、条件情報の成立または不成立の判定（検出）処理および条件情報の成立または不成立が判定（検出）された場合の処理などを行なう。例えば、条件情報が成立すると、測定センサ２１４を用いて測定を行ない、測定情報を生成し、生成された測定情報を格納部２１３に格納する処理を行なう。
【００４７】
格納部２１３は、情報を格納する。格納部２１３は、ＲＡＭやフラッシュメモリなどの揮発性および／または不揮発性のメモリ等の記憶装置により構成され得る。
【００４８】
測定センサ２１４は、物理量を測定するセンサである。
【００４９】
図２に示すように、制御部２１２は、設定情報受信制御部２２１と、情報収集制御部２２２と、情報収集部２２３とを備え、格納部２１３は、情報収集設定格納部２２４と、フィンガープリント情報格納部２２５と、収集情報格納部２２６とを備える。
【００５０】
情報収集設定格納部２２４、フィンガープリント情報格納部２２５および収集情報格納部２２６は、格納部２１３に備えられているので、各種の情報を格納することができる。また、情報収集設定格納部２２４、フィンガープリント情報格納部２２５および収集情報格納部２２６は、他の部からの情報の読み出し要求があれば、要求された情報を読み出し提供する。情報収集設定格納部２２４は、条件情報を格納する。フィンガープリント情報格納部は、フィンガープリント情報を格納する。収集情報格納部２２６は、条件情報に基づいて測定し格納されることにより収集された情報を格納する。
【００５１】
設定情報受信制御部２２１は、基地局１０２、１０３およびコアネットワーク１０４などを介して情報収集制御装置１０１から情報収集条件を表す条件情報を受信する。また、設定情報受信制御部２２１は、受信した条件情報を情報収集設定格納部２２４に格納する。
【００５２】
情報収集制御部２２２は、情報収集設定格納部２２４に格納されている条件情報のいずれかが成立したか、あるいは、不成立となったかを検出する。例えば条件情報が、測定情報の格納の履歴に関する条件である場合、収集情報格納部２２６に格納された測定情報を走査して、条件情報が表す条件が成り立つか否かを検出する。
【００５３】
また、フィンガープリント情報格納部２２５にフィンガープリント情報と関連づけて測定情報の格納の履歴が格納されていてもよい。格納の履歴とは、測定が行われ、あるフィンガープリント情報により示される位置関連情報と関連づけて測定の結果が格納された履歴である。より具体的には、セルＡの基地局の識別情報と、セルＡにおいて測定がされ、かつ、測定情報が格納された回数とが関連づけられる。この場合には、情報収集制御部２２２は、フィンガープリント情報格納部２２５に格納されている測定情報の格納の履歴を参照し、条件が成立しているか否かを検出する。
【００５４】
情報収集部２２３は、情報収集制御部２２２が検出した情報収集条件の成立または不成立に応じて情報の測定を行ない、測定情報を、収集情報格納部２２６に格納する。
【００５５】
図４は、端末装置１０５のハードウェア構成図である。ハードウェアとしての端末装置１０５は、アンテナ４０１と、ＲＦ回路（Ｒａｄｉｏ  Ｆｒｅｑｕｅｎｃｙ  Ｃｉｒｃｕｉｔ）４０２と、ＣＰＵ４０３と、メモリ４０４と、センサ４０５とを有している。
【００５６】
アンテナ４０１は、基地局１０２、１０３と無線信号の送受信を行なう。アンテナ４０１が無線信号を受信すると、アンテナ４０１は、受信信号をＲＦ回路４０２に出力する。また、アンテナ４０１にＲＦ回路４０２からの送信信号が出力されると、アンテナ４０１は、無線信号を周囲の空間に放射する。
【００５７】
ＲＦ回路４０２は、受信信号の周波数のダウンコンバートおよび復調を行ない、ベースバンド処理を行ない、ＣＰＵ４０３による信号の読み取りを可能とする。また、ＲＦ回路４０２は、ＣＰＵ４０３から出力された情報のベースバンド処理および変調を行ない、周波数をアップコンバートして送信信号を生成する。
【００５８】
メモリ４０４は、プログラムの格納、及び、プログラムの実行に伴う作業領域の提供などを行なう記憶装置である。また、メモリ４０４は、各種の情報の格納を行なう。例えば、情報収集条件の格納、フィンガープリント情報の格納、及び、測定情報の格納を行なう。
【００５９】
ＣＰＵ４０３は、メモリ４０４に記憶されたプログラムを実行し、ＲＦ回路４０２などと情報の入出力を行なう。また、プログラムの機能の一つとして、制御部２１２の動作を実現するための機能がある。
【００６０】
センサ４０５は、物理量を測定するセンサである。測定した測定結果は、ＣＰＵ４０３により読み取り可能となる。
【００６１】
したがって、ＲＦ回路４０２は端末通信部２１１を主に構成し、メモリ４０４は、格納部２１３を主に構成し、ＣＰＵ４０３は、制御部２１２を主に構成している。センサ４０５は、測定センサ２１４を主に構成している。なお、プログラムをＣＰＵ４０３で実行する代わりに、ＦＰＧＡなどを用いて、ハードウェアにより、制御部２１２の機能を実現することもできる。
【００６２】
図５は、情報収集制御装置１０１の設定制御部２０１により設定される情報収集条件をテーブル形式で示す図である。端末ＩＤと情報収集条件を表す条件情報とがテーブルの一行に格納されることにより、端末ＩＤと情報収集条件とが関連付けられる。例えば、ＩＤ１０１という端末ＩＤと、ＡＡＡ、２ＧＨｚおよび１の条件情報とが関連づけられる。この関連付けは、ＩＤ１０１という端末ＩＤを有する端末に、ＰＣＩ／ＣＧＩなどの識別情報がＡＡＡである基地局の２ＧＨｚ帯が受信され測定回数が１回未満であるという条件情報が送信されることを表す。同様に、２０５という端末ＩＤを有する端末に、ＰＣＩ／ＣＧＩなどの識別情報がＢＢＢである基地局の１．７ＧＨｚ帯の信号が受信され測定が３回未満であるという条件情報が送信されることを表す。したがって、図５に示すテーブルは、端末装置１０５に送信する条件情報の送信の待ち行列（キュー）を示していると解釈することもできる。
【００６３】
また、条件情報には、収集される測定情報の測定対象の種別が含まれていてもよい。例えば、測定対象の種別は、受信品質や気温、湿度などである。
【００６４】
なお、測定回数は、端末装置１０５が基地局１０２，１０３のセルに入ってから出るまでを１回としてカウントされる。あるいは、測定回数は、端末装置１０５が基地局１０２，１０３のセルにてデータの測定を行なった回数を表すとしてもよい。どのように回数をカウントするかについては、測定されるデータの種別に応じて決められる。例えば、データの種別が受信品質である場合には、セル内の位置によって大きく変動する場合があるので、回数は、端末装置が基地局のセルに入ってから出るまでに複数の測定が行われても１回としてカウントされてよい。一方、気温や湿度については、セルの大きさが小さければ、測定情報がほぼ一定であるとみなせるので、端末装置１０５が基地局１０２，１０３のセルにてデータの測定を行なった回数が測定回数として用いられてよい。
【００６５】
図６は、収集情報格納部２０４に格納される収集情報をテーブル形式により示す図である。「ＰＣＩ／ＧＣＩ」の列には、情報が収集されたセルを形成する基地局の識別情報が格納される。「収集情報」の列には、測定情報の内容が格納される。例えば、受信品質と位置関連情報との組が適切なデータ表現により複数格納される。あるいは、気温や湿度などの測定値が格納される。「端末ＩＤ」の列には、測定を行なった端末装置１０５の識別情報が格納される。図６に示されるテーブルの１行に、基地局１０２，１０３の識別情報と、測定情報と、端末装置１０５の識別情報とが格納されることにより、基地局１０２，１０３の識別情報と、測定情報と、端末装置１０５の識別情報とが関連づけて格納される。
【００６６】
図７（Ａ）および（Ｂ）は、情報収集制御装置１０１の処理のフローチャートである。図７（Ａ）は、情報収集制御装置１０１が、条件情報を送信する処理のフローチャートであり、図７（Ｂ）は、情報収集制御装置１０１が、測定情報を受信するフローチャートである。
【００６７】
図７（Ａ）の説明を行なう。ステップ７０１の処理として、端末装置１０５に送信する情報収集条件を表す条件情報が有るかどうかがＣＰＵ３０１により判断され、情報収集条件が無ければ、情報収集条件が有るようになるまで待ち状態となる。
【００６８】
ステップ７０１の処理において、端末装置１０５に送信する情報収集条件が有れば、処理がステップ７０２に移行し、例えば図５に示すテーブルから１行のデータを読み出し、端末ＩＤと情報収集条件とが取得される。
【００６９】
ステップ７０３の処理として、ステップ７０２の処理において取得された端末ＩＤの端末装置１０５へ情報収集条件が、設定送信部２０２により送信される。
【００７０】
ステップ７０４の処理として、ステップ７０２の処理において読み出された端末ＩＤと情報収集条件が削除される。これにより、同じ端末装置１０５に同じ条件情報が複数回、送信されることを防ぐことができ、トラヒックの削減および端末装置１０５の消費電力の増加を抑制することができる。
【００７１】
次に、図７（Ｂ）の説明を行なう。ステップ７０５の処理として、収集情報受信部２０５により収集情報が受信されたかどうかを判断し、受信されなければ、受信されるまで待ち状態となる。
【００７２】
ステップ７０５の処理において、収集情報が受信されると、ステップ７０６の処理として、収集情報格納部２０４により、収集情報が格納される。
【００７３】
次に、端末装置１０５に格納される情報について説明する。
【００７４】
図８は、端末装置１０５の情報収集設定格納部２２４に格納される条件情報をテーブル形式により示す図である。「ＰＣＩ／ＣＧＩ」の列には、基地局１０２，１０３の識別情報が格納される。「周波数帯」の列には、受信品質などのデータが測定される周波数帯を表す情報が格納される。また、「制限回数」の列には、データを測定する回数の上限が格納される。例えば、テーブルの一行にて、「ＰＣＩ／ＧＣＩ」、「周波数帯」および「制限回数」の列に、ＡＡＡ、２ＧＨｚおよび１回がそれぞれ格納されていることは、以下の情報収集条件を表す条件情報が格納されていることを表す。すなわち、ＰＣＩまたはＣＧＩがＡＡＡである基地局の２ＧＨｚ帯の測定回数が１回未満であるという情報収集条件を表す条件情報が格納されている。
【００７５】
また、情報収集条件には、常に成立する条件を含めることができる。例えば、図８の第３行に格納されている「＊」は、常に成立する条件を表わしている。言い換えると、「ＰＣＩ／ＣＧＩ」の列に「＊」が格納され、且つ、「周波数帯」の列に「＊」が格納されているので、任意の識別情報の任意の周波数帯の信号が受信され、かつ、測定回数が１回未満であるという情報収集条件を表す条件情報が格納されている。この条件情報は、任意の基地局の任意の周波数帯それぞれについて測定情報が格納されていなければ成立し、測定情報が格納されていれば不成立となる条件を表わすと解釈することができる。
【００７６】
図９は、フィンガープリント情報格納部２２５に格納されるフィンガープリント情報をテーブルの形式により示す図である。「ＰＣＩ／ＣＧＩ」の列には、基地局の識別情報が格納される。「周波数帯」の列には、基地局の周波数帯を表す情報が格納される。「アクセス」の列には、基地局の周波数帯が利用可能であるかどうかを表すアクセス権情報が格納される。例えば、図８の第１行に、ＡＡＡ、２ＧＨｚおよびＯＫが格納されているので、端末装置１０５は、ＡＡＡの識別子を有する基地局の２ＧＨｚ帯を利用可能であることを表わしている。同様に、第２行は、ＸＸＸの識別子を有する基地局の２ＧＨｚ帯を利用可能であることを表わしている。一方、第３行は、ＡＡＡの識別子を有する基地局の１．７ＧＨｚ帯を利用不能であることを表わしている。
【００７７】
図１０は、収集情報格納部２２６に格納された収集情報（測定情報）をテーブル形式により示す図である。「ＰＣＩ／ＣＧＩ」の列には、基地局の識別情報が格納され、「収集情報」の列には、測定情報が適切なデータ形式にて格納される。
【００７８】
図１１（Ａ）および（Ｂ）は、端末装置１０５の処理のフローチャートを示す。図１１（Ａ）は、測定情報の収集および格納を開始する処理のフローチャートである。図１１（Ｂ）は、フィンガープリント情報格納部２２５に格納されたフィンガープリント情報を参照して基地局が利用可能であるかどうかを判断する処理のフローチャートである。
【００７９】
ステップ１１０１の処理として、基地局を新たに検出したかどうかを判断する。もし、基地局を新たに検出しなかった場合には、基地局を新たに検出するまで待ち状態となる。
【００８０】
ステップ１１０１の処理において、基地局を新たに検出した場合には、ステップ１１０２の処理に移行し、情報収集条件が成立しているかどうかを判断する。例えば、情報収集設定格納部２２４に格納されている条件情報を順に読み出し、読み出された条件情報が表す情報収集条件が成立するか否かの判断を行なう。
【００８１】
もし、ステップ１１０２の処理において、情報収集条件が成立すると判定された場合には、ステップ１１０３の処理として、情報収集を開始する。もし、ステップ１１０２の処理において、情報収集条件が成立していなければ、ステップ１１０３の処理をスキップする。
【００８２】
また、同様の処理により、成立している情報収集条件が、基地局を新たに検出することにより、不成立になると判定されれば、情報収集を停止することもできる。
【００８３】
次に、図１１（Ｂ）を参照して端末装置１０５におけるフィンガープリント情報の処理について説明を行なう。
【００８４】
ステップ１１０４の処理として、基地局を新たに検出したかどうかを判断する。もし、基地局を新たに検出しなかった場合には、基地局を新たに検出するまで待ち状態となる。
【００８５】
ステップ１１０４の処理において、基地局を新たに検出した場合には、ステップ１１０５の処理に移行し、アクセスがＯＫであるかどうかを判断する。この処理は、例えば、図９のテーブルに含まれる行のうち、「ＰＣＩ／ＣＧＩ」に格納されている値が、新たに検出された基地局の識別情報である行を読み出し、「アクセス」の列がＯＫになっているものがあるかどうかにより判断することができる。
【００８６】
ステップ１１０５の処理において、アクセスがＯＫであれば、ステップ１１０４の処理にて検出された基地局にハンドオーバする処理をステップ１１０６の処理として行なう。また、ステップ１１０５の処理において、アクセスがＯＫでなければ、ステップ１１０６の処理をスキップする。
【００８７】
図１１（Ａ）のフローチャートと図１１（Ｂ）のフローチャートとを比較すると、ステップ１１０１とステップ１１０４は同じ処理とすることができる。したがって、端末装置１０５においては、図１１（Ａ）の処理と図１１（Ｂ）の処理とを別々に実行するのではなく、少なくともステップ１１０１とステップ１１０４とを一つにまとめて実行するとよい。したがって、例えば、ステップ１１０２およびステップ１１０３の処理をステップ１１０５においてＹＥＳに分岐した後であって、ステップ１１０６の処理を行なう前に実行することにより、処理を一つにまとめることができる。したがって、フィンガープリント情報の処理の中に、ステップ１１０２およびステップ１１０３の処理を追加することができ、これにより、ステップ１１０１とステップ１１０４との処理が重複する無駄をなくすことができる。
【００８８】
また、端末装置１０５がアクセス権を有することにより、利用可能な基地局に関する測定情報を格納することができるので、アクセス権を有さない基地局に関する測定情報を格納する必要がなくなる。これにより、測定情報を格納する収集情報格納部２２６に割り当てる領域のサイズを小さくし、また、測定に要する電力消費を削減することができる。
【００８９】
ステップ１１０５において、検出された基地局が利用可能である場合、ステップ１１０６へ処理を移行させる際に、ステップ１１０２およびステップ１１０３の処理が実行されるように、フック（ｈｏｏｋ）処理が用いられてもよい。あるいは、端末装置１０５のＣＰＵ４０３のプログラムカウンタの値が、ステップ１１０６の処理を開始するアドレスとなった場合に、割り込み信号を生成し、割り込み処理としてステップ１１０２およびステップ１１０３の処理を行なってもよい。割り込み信号の生成のためには、例えば、ＣＰＵ４０３のブレークポイントの機能が用いられてもよい。
【００９０】
ステップ１１０２およびステップ１１０３の処理は、ステップ１１０６のハンドオーバ処理の後に実行されてもよい。
【００９１】
また、ステップ１１０２およびステップ１１０３の処理は、ステップ１１０４においてＹＥＳに分岐した後であって、ステップ１１０５の処理を行なう前に実行されてよい。これにより、測定情報をより多数の基地局について測定情報を収集することが可能となる。
【００９２】
また、ステップ１１０２およびステップ１１０３の処理を、実行するタイミングは、選択可能となっていてもよい。すなわち、ステップ１１０５において、検出された基地局が利用できるときに実行するか、ステップ１１０４においてＹＥＳに分岐した後であって、ステップ１１０５の処理を行なう前に実行するかは、選択可能であってよい。これにより、収集情報が端末装置１０５の利用者に利用可能となっている場合に、端末装置１０５の利用者が測定情報を収集する目的に応じた収集方法に適応可能とすることもできる。
【００９３】
図１２は、無線通信システム１００における通信のシーケンス図である。ステップＳ１２０１およびＳ１２０２において、情報収集制御装置１０１から、例えばマクロセルやＣＳＧセルなどを形成する基地局１０２、１０３を経由して条件情報が端末装置１０５に送信される。
【００９４】
その後、端末装置１０５は、ステップＳ１２０３、Ｓ１２０４にあるように、マクロセルを形成する基地局からＣＳＧセルを形成する基地局とのハンドオーバ処理を行なう。図１１で説明したように、ハンドオーバ処理の前または後に条件情報が表す条件の成立または不成立が判定されてよい。
【００９５】
端末装置１０５により収集され、且つ、収集情報格納部２２６に記憶された測定情報は、適宜、ステップＳ１２０５およびＳ１２０６において、例えばマクロセルを形成する基地局を経由して情報収集制御装置１０１に送信される。
【００９６】
図１３は、フィンガープリント判定処理からＣＳＧセルを形成する基地局にハンドオーバする処理のシーケンス図である。
【００９７】
まず、端末装置１０５が、ハンドオーバ元であるマクロセルを提供する基地局に在圏している場合を想定する。このとき、端末装置１０５がＣＳＧセルを形成する基地局の近くに移動すると、ＣＳＧセルを形成する基地局の識別情報が新たに検出される。したがって、図１１のステップ１１０４にあるように、ＹＥＳへの分岐が行われ、例えば上述したように、情報収集条件の成立または不成立が判定され、必要であればデータ収集の開始または停止が行われる。その後、ステップ１１０５の処理においてＣＳＧセルを形成する基地局へのアクセスがＯＫであるかどうか判断される。もし、ステップ１１０５の処理においてアクセスがＯＫであると判断されると、ＣＳＧセルを形成する基地局をハンドオーバ先の基地局とするハンドオーバのための処理としてステップＳ１３０２以降の処理が行われる。
【００９８】
すなわち、ステップＳ１３０２の処理として、端末装置１０５よりハンドオーバ元の基地局にＲＲＣ：Ｐｒｏｘｉｍｉｔｙ  Ｉｎｄｉｃａｔｉｏｎメッセージが送信される。ＲＲＣ：Ｐｒｏｘｉｍｉｔｙ  Ｉｎｄｉｃａｔｉｏｎメッセージにより、端末装置１０５が、アクセスがＯＫであるＣＳＧセルに入ったことが、ハンドオーバ元の基地局に通知される。
【００９９】
ステップＳ１３０３の処理として、無線測定開始制御がハンドオーバ元の基地局によって端末装置１０５に対して実施される。ステップＳ１３０４の処理として、端末装置１０５から測定結果報告としてＣＳＧセルを形成する基地局のＰＣＩなどを含む情報がハンドオーバ元の基地局に送信される。
【０１００】
ステップＳ１３０５の処理として、ハンドオーバ元の基地局は、ＣＳＧセルを形成する基地局のＳＩ（Ｓｙｓｔｅｍ  Ｉｎｆｏｒｍａｔｉｏｎ）情報を要求する。ステップＳ１３０６の処理として、端末装置１０５は、ハンドオーバ先の基地局のＣＳＧセルの報知情報ＳＩを受信する。ステップＳ１３０７の処理として、端末装置１０５は、ハンドオーバ元の基地局に、ＣＧＩ、ＴＡＩ（Ｔｒａｃｋｉｎｇ  Ａｒｅａ  Ｉｄｅｎｔｉｔｙ）、ｍｅｍｂｅｒ  ｓｔａｔｕｓを送信する。なお、ｍｅｍｂｅｒ  ｓｔａｔｕｓは、端末装置１０５がハンドオーバ先の基地局に属するか否かを表す情報である。ｍｅｍｂｅｒ  ｓｔａｔｕｓは、フィンガープリント情報に含まれる、基地局を利用可能であるかどうかに対応させることができる。
【０１０１】
その後、ステップＳ１３０８の処理として、端末装置１０５がハンオーバ元の基地局からハンドオーバ先の基地局にハンドオーバする。
【０１０２】
図１４は、図１１のステップ１１０２の処理において、測定を行ない測定情報の格納を行なった回数である測定回数に関する条件が情報収集条件に含まれている場合の処理のフローチャートである。測定回数は、収集情報格納部２２６に記憶された条件情報が表す情報収集条件を走査することにより検出される。ただし、毎回走査すると、計算量が増大する可能性がある。そこで、基地局の識別情報に測定回数を関連づけて記憶しておくと、効率よく判断ができる。図１４は、基地局の識別情報に測定回数を関連づけて記憶している場合における、測定回数に関する条件の成立を判断する処理のフローチャートである。
【０１０３】
ステップ１４０１の処理において、セルを形成する基地局の識別情報（例えば、ＰＣＩ）を取得し、取得したＰＣＩに関するフィンガープリント情報を参照する。このとき、取得したＰＣＩに関連づけて記憶してある測定回数の存在を確認する。もし、測定回数が存在しなければ、ステップ１４０３へ処理を移す。ステップ１４０３の処理は、情報収集を開始する。そして、ステップ１４０４の処理として、測定回数を更新する。測定回数が存在していなければ、１を測定回数としてフィンガープリント情報に含まれるＰＣＩに関連づけ、測定回数が存在していれば、１を加えた値に更新する。
【０１０４】
ステップ１４０１の処理において、取得したＰＣＩに関連づけて測定回数が記憶されていれば、その測定回数を読み出し、ステップ１４０２へ処理を移し、測定回数に関する条件が成立するか否かを判断する。例えば図８の「制限回数」の列に格納されている値を読み出し、測定回数が制限回数未満であればステップ１４０３へ処理を移す。また、測定回数が制限回数未満でなければ、ステップ１４０３及び１４０４をスキップする。
【０１０５】
図１５、１６および１７は、端末装置１０５が、基地局の識別情報に関連づけて記憶する測定回数の変化の一例を示す。端末装置１０５が、初期状態から、ＣＳＧセルであるセル１６０１（換言すると、セルＡ）を管轄する基地局Ａにハンドオーバする。また、端末装置１０５は、セル１６０２（セルＢ）およびセル１６０３（セルＣ）をそれぞれ管轄する基地局ＢおよびＣの順にハンドオーバする場合を想定する。更に、その後、端末装置１０５が、再度セルＡに戻り、基地局Ａにハンドオーバする場合を想定する。
【０１０６】
図１５（Ａ）は、端末装置１０５の初期状態における、基地局の識別情報に関連づけて記憶した測定回数を例示する。この場合、基地局の識別情報に関連づけて測定回数が格納されていない。この状態で、端末装置１０５が、基地局Ａにハンドオーバするとともに、２ＧＨｚの周波数帯が用いられた場合を想定する。このとき、図１４のステップ１４０１に相当する図１７のステップＳ１７０１の処理が行われる。この結果、基地局Ａについての測定は行われていないので、図１４のステップ１４０３および１４０４に相当するステップＳ１７０３の処理が行われる。すなわち、図１６のＳ１６１１に示すように、情報収集が実施され、例えば収集の履歴としてが、セルＡについては収集済みを表わす情報がフィンガープリント情報に格納される。
【０１０７】
言い換えると、このハンドオーバにより、図１５（Ｂ）に示すように、「ＰＣＩ／ＣＧＩ」の列にセルＡの基地局の識別子として「セルＡ」が格納され、周波数帯として２ＧＨｚが格納され、測定回数として１回が格納される。
【０１０８】
次に、端末装置１０５がセルＢ内に移動し、セルＢの基地局Ｂにハンドオーバしようとする。この場合、セルＡに関連づけられた測定回数のみが記憶されており、セルＢに関連づけられた測定回数が記憶されていない。このため、図１４のステップ１４０１に相当するＳ１７０４の処理が行われ、ステップ１４０３およびステップ１４０４の処理に対応するステップＳ１７０５の処理が行われる。これにより、Ｓ１６１２にあるように、情報収集が実施され、セルＢについて測定が行われたことが記録される。言い換えると、図１５（Ｃ）に示すように、「ＰＣＩ／ＣＧＩ」の列にセルＢの識別子として「セルＢ」が格納され、周波数帯として１．７ＧＨｚが格納され、測定回数として１回が格納される。
【０１０９】
同様に、端末装置１０５がセルＣ内に移動し、セルＣの基地局Ｃにハンドオーバしようとする。この場合、セルＣに関連づけられた測定回数が記憶されていない。このため、図１４のステップ１４０１に対応するステップＳ１７０６の処理から、ステップ１４０３およびステップ１４０４に対応するステップＳ１７０７の処理が実行される。Ｓ１６１３にあるように、情報収集が実施され、セルＣについて測定が行われたことが記録される。言い換えると、図１５（Ｄ）に示すように、「ＰＣＩ／ＣＧＩ」の列にセルＣの識別子として「セルＣ」が格納され、周波数帯として１．５ＧＨｚが格納され、測定回数として１回が格納される。
【０１１０】
そして、端末装置１０５が再度セルＡ内に移動し、セルＡの基地局Ａにハンドオーバしようとする。この場合、図１５（Ｄ）に示されるように、セルＡに関連づけられた測定回数が記憶されているので、ステップ１４０１の処理からステップ１４０２に処理が移行する。ステップ１４０２の処理において、情報収集条件の制限回数である１回が読み出され、測定回数としても１回が読み出される。制限回数と測定回数とを比較すると、等しいので、ステップ１４０２の処理の後は、ステップ１４０３および１４０４はスキップされる。言い換えると、ステップＳ１７０９にあるように測定は休止される。すなわち、図１６のステップＳ１６１４にあるように、セルＡにおいて情報収集済であるので、情報収集は抑止され、測定情報の格納は行われない。
【０１１１】
このように、一実施形態においては、測定情報の格納履歴を基に、重複して収集が行われることを抑止することが可能である。これにより、端末装置１０５は、複数回、基地局Ａにハンドオーバしても無駄に収集を行なわないので、測定情報の格納の際などの電力消費を抑制することができる。また、測定情報を端末装置１０５から情報収集制御装置１０１に送信する場合に、送信される測定情報の量を小さくすることができ、通信トラヒックを小さくすることができる。
【０１１２】
なお、端末装置１０５が収集情報を情報収集制御装置１０１に送信すると、端末装置１０５は、測定情報の格納履歴を収集情報格納部２２６などから削除しないようにするのがよい。言い換えると、測定情報の格納履歴を保持したままでいるのがよい。なぜならば、格納履歴を削除してしまうと、再度、端末装置１０５がセルＡ内に移動してハンドオーバしようとした場合に、重複して情報が収集されるためである。
【０１１３】
ただし、測定情報を収集した履歴を保持したままでよいということではない。たとえば、セルの構造が変化した場合には、構造が変化する前のセルの基地局についての測定情報を収集した履歴は削除されてよい。
【０１１４】
図１８および１９は、セルの構造の変化の一例を示す。図１８に示すように基地局のＰＣＩがＣＣＣであり、周波数帯として１．５ＧＨｚのセル１８０１がある場合を想定する。時間が経過し、セル１８０１が、図１９に示すように、管轄する基地局のＰＣＩがＣＣＣであり、周波数帯として１．５ＧＨｚのセル１９１０と、管轄する基地局のＰＣＩがＤＤＤであり、周波数帯として２ＧＨｚのセル１９０２とに分割されたとする。
【０１１５】
このようにセルが分割された場合には、分割前にセル１８０１において収集された測定情報は、セル１９０１において測定される測定情報と異なることが予想されるので、セル１８０１における測定情報の格納履歴は削除されてよい。
【０１１６】
そこで、図２０に示すように、ステップＳ２００１の処理として、基地局１０２，１０３を経由して情報収集制御装置１０１から端末装置１０５に測定情報の履歴のリセット指示を送信する。リセット指示は、基地局の識別情報を含む。リセット指示を受信した端末装置１０５は、ステップＳ２００２の処理として、リセット指示に含まれる基地局の識別情報を抽出する。また、ステップＳ２００２の処理として、抽出された識別情報に関連づけて格納されている測定情報の格納履歴をリセットする。
【０１１７】
図２１および２２は、端末装置１０５に格納されている測定情報の格納履歴のリセットの一例を示す。図２１のように基地局１０２，１０３の識別情報としてのＣＣＣに周波数帯として１．５ＧＨｚ、測定回数として８回の測定情報の履歴が格納されている場合を想定する。図１８及び図１９に示すようにセル１８０１が分割されると、ＣＣＣを含むリセット指示が端末装置１０５に送信される。ＣＣＣを含むリセット指示を受信した端末装置１０５は、ＣＣＣに関連づけられている測定回数をリセットする。リセットの結果として、図２２に示すようにＣＣＣに関連づけられている測定回数が０回となる。あるいは、図２１に示すテーブルからＣＣＣが格納されている行が削除されてもよい。
【０１１８】
以上の削除は、端末装置１０５の利用者が端末装置１０５を操作することにより、行なわれてもよい。例えば、端末装置１０５の利用者がセル１９０２を管轄する基地局を設置したような場合には、情報収集制御装置１０１からリセット指示が送信されるのを待つ代わりに、利用者が端末装置１０５を操作することにより、測定情報の格納履歴をリセットしてもよい。
【０１１９】
以上の開示に関して、以下の付記を記載する。
【０１２０】
（付記１）
周囲の物理量を測定する測定センサを有する移動局装置であって、
前記移動局装置が利用可能な基地局に関連する位置において前記測定センサによって測定された結果の格納履歴に関する条件情報を格納する条件情報格納部と、
前記条件情報が表わす条件が成立するときに、前記測定センサによって測定された結果を格納する制御を行なう制御部と
を有する移動局装置。
【０１２１】
（付記２）
前記制御部は、前記条件情報が表わす条件が不成立になると、前記測定センサによって測定された結果の格納を停止する制御を行なう付記１に記載の移動局装置。
【０１２２】
（付記３）
前記条件情報は、前記測定センサによって測定する結果の格納の回数の上限を含む付記１または２に記載の移動局装置。
【０１２３】
（付記４）
前記測定センサは、前記移動局装置の在圏する基地局との通信の通信品質または前記基地局の無線エリアにおける環境情報を測定する付記１から３のいずれか一に記載の移動局装置。
【０１２４】
（付記５）
前記制御部は、前記移動局装置が利用可能な基地局が新たに検出された場合に前記条件情報格納部に格納された条件情報が表わす条件が成立するか否かを判断する付記１から４のいずれか一に記載の移動局装置。
【０１２５】
（付記６）
前記基地局の識別情報と前記基地局を利用可能かどうかを表わすアクセス権情報とを関連づけたフィンガープリント情報格納部を有し、
前記制御部は、前記基地局の識別情報が新たに検出された場合に、前記アクセス権情報に基づいて、前記基地局を前記移動局装置が利用可能であると判断した後に前記条件情報が表す条件が成立するか否かを判断する請求項５に記載の移動局装置。
【０１２６】
（付記７）
前記条件情報を、情報収集制御装置より受信する受信部を有する付記１から６のいずれか一に記載の移動局装置。
【０１２７】
（付記８）
前記受信部が、格納された前記測定情報を削除する指示を受信すると、前記制御部は、前記格納履歴を削除する付記７に記載の移動局装置。
【０１２８】
（付記９）
測定センサを有する移動局装置の動作方法であり、
前記移動局装置の位置に関連する位置関連情報と、前記位置における前記測定センサによる測定の結果とを関連づけた測定情報を格納し、
前記位置関連情報に関する条件情報および前記位置関連情報と関連する位置における測定情報の格納の履歴に関する条件情報を格納し、
格納された条件情報が成立するときに、前記測定情報を格納する制御を行なう
移動局装置の動作方法。
【０１２９】
（付記１０）
測定センサを有する移動局装置と通信を行なう情報収集制御装置であって、
前記移動局装置の位置に関連する位置関連情報と、前記位置における前記測定センサによる測定の結果とを関連づけた測定情報を前記移動局装置に格納させる制御を行なう設定制御部と、
前記測定情報を前記移動局装置に送信する設定送信部と
を備える情報収集制御装置。
【符号の説明】
【０１３０】
１００      ：無線通信システム
１０１      ：情報収集制御装置
１０２      ：基地局
１０３      ：基地局
１０４      ：コアネットワーク
１０５      ：端末装置
２０１      ：設定制御部
２０２      ：設定送信部
２０３      ：制御装置通信部
２０４      ：収集情報格納部
２０５      ：収集情報受信部
２１１      ：端末通信部
２１２      ：制御部
２１３      ：格納部
２２７      ：測定センサ
２２１      ：設定情報受信制御部
２２２      ：情報収集制御部
２２３      ：情報収集部
２２４      ：情報収集設定格納部
２２５      ：フィンガープリント情報格納部
２２６      ：収集情報格納部
３０１      ：ＣＰＵ
３０２      ：メモリ
３０３      ：二次記憶装置
３０４      ：入出力インターフェース
４０１      ：アンテナ
４０２      ：ＲＦ回路
４０３      ：ＣＰＵ
４０４      ：メモリ
４０５      ：センサ
【図１】
2017118257.tif 000003
【図２】
2017118257.tif 000004
【図３】
2017118257.tif 000005
【図４】
2017118257.tif 000006
【図５】
2017118257.tif 000007
【図６】
2017118257.tif 000008
【図７】
2017118257.tif 000009
【図８】
2017118257.tif 000010
【図９】
2017118257.tif 000011
【図１０】
2017118257.tif 000012
【図１１】
2017118257.tif 000013
【図１２】
2017118257.tif 000014
【図１３】
2017118257.tif 000015
【図１４】
2017118257.tif 000016
【図１５】
2017118257.tif 000017
【図１６】
2017118257.tif 000018
【図１７】
2017118257.tif 000019
【図１８】
2017118257.tif 000020
【図１９】
2017118257.tif 000021
【図２０】
2017118257.tif 000022
【図２１】
2017118257.tif 000023
【図２２】
2017118257.tif 000024